【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
肝細胞を保持する複数の容器を保持する保持部と、
前記複数の容器内の温度を調整する温度調整部と、
前記複数の容器内の成分を測定し、当該測定した前記成分を解析する分析部と、
を備え、
前記複数の容器は、少なくとも前記第１容器、前記第２容器、及び第３容器であって、
前記第１容器内及び前記第２容器は、夫々第１バッファ液を保持し、
前記第３容器内に、所定の物質が添加された第２バッファ液が保持され、
前記温度調整部は、
前記第１容器内及び前記第３容器内の第１温度よりも、前記第２容器内の第２温度の方が低くなるように調整し、
前記分析部は、
前記第１容器内の肝細胞から、前記第１容器内の前記第１バッファ液へ排出された成分の量と、
前記第２容器内の肝細胞から、前記第２容器内の前記第１バッファ液へ排出された前記成分の量と、
前記第３容器内の肝細胞から、前記第３容器内の前記第２バッファ液へ排出された前記成分の量と、
を測定し、
前記肝細胞のトランスポータを介して排出される前記成分の量と、
前記肝細胞の毛細胆管を介して排出される前記成分の量と、
前記肝細胞のトランスポータ及び毛細胆管以外から排出される前記成分の量と、
を解析することを特徴とする成分分析装置。
【請求項２】
前記複数の容器内の液体を供給または回収する送液部をさらに有し、
前記送液部は、
前記複数の容器に前記成分を含む成分溶液を供給し、
前記成分溶液を回収した後、第３バッファ液を前記複数の容器内に供給し、
前記第３バッファ液を回収した後、前記第１容器及び前記第２容器に前記第１バッファ液
を供給し、前記第３容器に前記第２バッファ液を供給し、
前記分析部は、
前記複数の培養容器の何れかに保持された前記肝細胞から、前記第３バッファ液内へ排出
された成分の量を測定することを特徴とする請求項１記載の成分分析装置。
【請求項３】
前記第３バッファ液と前記第１バッファ液は、同一種のバッファ液であることを特徴とす
る請求項２記載の成分分析装置。
【請求項４】
前記温度調整部は、
前記第１温度よりも、前記第３バッファ液を保持しているときの前記複数の容器内のうち
少なくとも一つの容器内の温度の方が低くなるように温度を調整することを特徴とする請
求項２記載の成分分析装置。
【請求項５】
前記分析部は、
前記第３容器内の肝細胞内に残留している前記成分の量と、
前記第１容器または前記第２容器のうち少なくとも一つの容器内の肝細胞に残留している
成分の量と、
を測定し、
前記肝細胞の毛細胆管以外に残留する前記成分の量を解析することを特徴とする請求項１
記載の成分分析装置。
【請求項６】
薬剤を吸収した肝細胞を保持する複数の容器を保持する保持部と、
前記複数の容器内の液体を供給する送液部と、
前記複数の容器内の温度を調整する温度調整部と、
前記複数の容器内の薬剤の量を測定し、当該測定した薬剤を解析する分析部と、
を備え、
前記複数の容器は、第１容器、第２容器及び第３容器であって、
前記送液部は、
前記第１容器及び前記第２容器に、第１バッファ液を供給し、
前記第３容器に、前記肝細胞の毛細胆管から前記薬剤が排出されることを促す第２バッフ
ァ液を供給し、
前記温度調整部は、
前記第１容器内及び前記第３容器内の温度よりも、前記第２容器内の温度の方が低くなる
ように温度を調整し、
前記分析部は、
前記第１容器内の肝細胞から前記第１バッファ液内に排出された前記薬剤の量と、
前記第２容器内の肝細胞から前記第１バッファ液内に排出された前記薬剤の量と、
前記第３容器内の肝細胞から前記第２バッファ液内に排出された前記薬剤の量と、
前記肝細胞のトランスポータから排出される前記薬剤の量と、
前記肝細胞の毛細胆管から排出される前記薬剤の量と、
前記肝細胞のトランスポータ及び毛細胆管以外から排出される前記成分の量と、
を夫々解析することを特徴とする薬剤成分分析装置。
【請求項７】
薬剤を吸収した肝細胞を保持する複数の容器を保持する保持部と、
前記複数の容器内の液体を供給または排出する送液部と、
前記複数の容器内の温度を調整する温度調整部と、
前記複数の容器内の薬剤の量を測定し、当該測定した薬剤を解析する分析部と、
を備え、
前記送液部は、
前記複数の容器に、前記薬剤を供給し、
前記薬剤を前記複数の容器から排出した後、前処理用バッファ液を供給し、
前記前処理用バッファ液を前記複数の容器から回収した後、前記複数の培養容器のうち、
前記第１容器及び前記第２容器に、第１バッファ液を供給し、
前記第３容器に、前記肝細胞の毛細胆管から前記薬剤が排出されることを促す第２バッフ
ァ液を供給し、
前記温度調整部は、
前記第１容器内及び前記第３容器内の第１温度よりも、前記第２容器内の第２温度の方が
低くなるように温度を調整し、
前記分析部は、
前記複数の容器内の肝細胞から前記前処理用バッファ液内に排出された前記薬剤の量と、
前記第１容器内の肝細胞から前記第１バッファ液内に排出された前記薬剤の量と、
前記第２容器内の肝細胞から前記第１バッファ液内に排出された前記薬剤の量と、
前記第３容器内の肝細胞から前記第２バッファ液内に排出された前記薬剤の量と、
前記肝細胞を前処理する段階で前記肝細胞から排出される前記薬剤の量と、
前記肝細胞のトランスポータから排出される前記薬剤の量と、
前記肝細胞の毛細胆管から排出される前記薬剤の量と、
前記肝細胞のトランスポータ及び毛細胆管以外から排出される前記薬剤の量と、
を夫々解析することを特徴とする薬剤成分分析装置。
【請求項８】
前記前処理用バッファ液と前記第１バッファ液は、同一種のバッファ液であることを特徴
とする請求項７記載の薬剤成分分析装置。
【請求項９】
前記温度調整部は、
前記前処理用バッファ液を保持しているときの、前記複数の容器内のうち少なくとも一つ
の容器内の温度よりも、前記第１温度の方が高くなるように温度を調整することを特徴と
する請求項７記載の薬剤成分分析装置。
【請求項１０】
前記分析部は、
前記第３容器内の肝細胞内に残留している前記成分の量と、
前記第１容器または前記第２容器のうち少なくとも一つの容器内の肝細胞に残留している
成分の量と、
を測定し、
前記肝細胞の毛細胆管以外に残留する前記成分の量を解析することを特徴とする請求項６
から９のいずれか１項に記載の薬剤成分分析装置。
【請求項１１】
肝細胞を保持する第１容器及び第３容器内の温度よりも、前記肝細胞を保持する第２容器内の温度の方が低くなるように温度を調整する温調工程と、
前記第１容器内の肝細胞から、前記第１容器内の前記第１バッファ液へ排出された成分の量と、前記第２容器内の肝細胞から、前記第２容器内の前記第１バッファ液へ排出された成分の量と、前記第３容器内の肝細胞から、前記第３容器内の所定の物質が添加された第２バッファ液へ排出された成分の量と、
を測定する測定工程と、
前記測定工程によって測定した結果に基づいて、
前記肝細胞のトランスポータを介して排出される前記成分の量と、
前記肝細胞の毛細胆管を介して排出される前記成分の量と、
前記肝細胞のトランスポータ及び毛細胆管以外から排出される前記成分の量と、
を夫々解析する解析工程と、を有することを特徴とする成分分析方法。
【請求項１２】
前記温調工程よりも前に、
少なくとも前記第１容器、前記第2容器、及び前記第３容器を含む複数の容器内の液体を
供給または回収する送液工程をさらに有し、
前記送液工程において、
前記複数の容器に前記成分を含む成分溶液を供給し、
前記成分溶液を回収した後、第３バッファ液を前記複数の容器内に供給し、
前記第３バッファ液を回収した後、前記第１容器及び前記第２容器に前記第１バッファ液
を供給し、前記第３容器に前記第２バッファ液を供給し、
前記測定工程において、
前記複数の培養容器の少なくとも一つに保持された前記肝細胞から、前記第３バッファ液
内へ排出された成分の量を解析することを特徴とする請求項１１記載の成分分方法。
【請求項１３】
前記第３バッファ液と前記第１バッファ液は、同一種のバッファ液であることを特徴とす
る請求項１２記載の成分分析方法。
【請求項１４】
前記温調工程よりも前に、
前記第１温度よりも、前記前記第３バッファ液を保持しているときの前記複数の容器内の
うち少なくとも一つの容器内の温度の方が低くなるように温度を調整する前処理温調工程
を有することを特徴とする請求項１２記載の成分分析方法。
【請求項１５】
薬剤を吸収した肝細胞を保持する複数の容器に、液体を供給する送液工程と、
前記複数の容器内の温度を調整する温調工程と、
前記複数の容器内の薬剤の量を測定する測定工程と、
前記測定工程において測定した薬剤を解析する解析工程と、
を備え、
前記複数の容器は、第１容器、第２容器及び第３容器であって、
前記送液工程において
前記第１容器及び前記第２容器に、第１バッファ液を供給し、前記第３容器に、前記肝細
胞の毛細胆管から前記薬剤が排出されることを促す第２バッファ液を供給し、
前記温調工程において、
前記第１容器内及び前記第３容器内の温度よりも、前記第２容器内の温度の方が低くなる
ように温度を調整し、
前記計測工程において、
前記第１容器内の肝細胞から前記第１バッファ液内に排出された前記薬剤の量と、
前記第２容器内の肝細胞から前記第１バッファ液内に排出された前記薬剤の量と、
前記第３容器内の肝細胞から前記第２バッファ液内に排出された前記薬剤の量と、
前記第３容器内の肝細胞内に残留している前記成分の量と、前記第１容器または前記第２
容器のうち少なくとも一つの容器内の肝細胞に残留している成分の量と、
を測定し、
前記解析工程において、
前記肝細胞のトランスポータから排出される前記薬剤の量と、
前記肝細胞の毛細胆管から排出される前記薬剤の量と、
前記肝細胞のトランスポータ及び毛細胆管以外から排出される前記薬剤の量と、
前記肝細胞の毛細胆管以外に残留する前記成分の量と、
を夫々解析することを特徴とする薬剤成分分析方法。
【請求項１６】
薬剤を吸収した肝細胞を保持する複数の容器内の液体を供給または排出する送液工程と、
前記複数の容器内の温度を調整する温調工程と、
前記複数の容器内の薬剤の量を測定する測定工程と、
前記測定工程によって測定した薬剤を解析する解析工程と、
を備え、
前記送液工程において、
前記複数の容器に、前記薬剤を供給し、
前記薬剤を前記複数の容器から排出した後、前処理用バッファ液を供給し、
前記前処理用バッファ液を前記複数の容器から回収した後、前記複数の培養容器のうち、
前記第１容器及び前記第２容器に、第１バッファ液を供給し、
前記第３容器に、前記肝細胞の毛細胆管から前記薬剤が排出されることを促す第２バッフ
ァ液を供給し、
前記温調工程において、
前記第１容器内及び前記第３容器内の第１温度よりも、前記第２容器内の第２温度の方が
低くなるように温度を調整し、
前記測定工程において、
前記複数の容器内の肝細胞から前記前処理用バッファ液内に排出された前記薬剤の量と、
前記第１容器内の肝細胞から前記第１バッファ液内に排出された前記薬剤の量と、
前記第２容器内の肝細胞から前記第１バッファ液内に排出された前記薬剤の量と、
前記第３容器内の肝細胞から前記第２バッファ液内に排出された前記薬剤の量と、
前記第３容器内の肝細胞内に残留している前記成分の量と、前記第１容器または前記第２
容器のうち少なくとも一つの容器内の肝細胞に残留している成分の量と、
を測定し、
前記解析工程において、
前記肝細胞を前処理する段階で前記肝細胞から排出される前記薬剤の量と、
前記肝細胞のトランスポータから排出される前記薬剤の量と、
前記肝細胞の毛細胆管から排出される前記薬剤の量と、
前記肝細胞のトランスポータ及び毛細胆管以外から排出される前記薬剤の量と、
前記肝細胞の毛細胆管以外に残留する前記成分の量と、
を夫々解析することを特徴とする薬剤成分分析方法。
【請求項１７】
前記前処理用バッファ液と前記第１バッファ液は、同一種のバッファ液であることを特徴
とする請求項１６記載の成分分析方法。
【請求項１８】
前記温調工程より前に、
前記前処理用バッファ液を保持しているときの、前記複数の容器内のうち少なくとも一つ
の容器内の温度よりも、前記第１温度の方が高くなるように温度を調整する前処理温調工
程を有することを特徴とする請求項１６記載の薬剤成分分析方法。